(57)【要約】【課題】ブロー成形された中空樹脂部品により定位置部品の位置決めを行えるようにして、中空樹脂部品の切欠等をなくし、強度低下を防止できるようにすることである。【解決手段】本発明は意匠面を備える車両の内装樹脂部品１１と、内装樹脂部品１１を裏側から補強するブロー成形品である中空樹脂部品２０と、内装樹脂部品１１の裏側に取付けられ、内装樹脂部品１１に対して定位置に位置決めされる定位置部品３０ｒとを備える車両内装部品アッセンブリであって、中空樹脂部品２０には、位置決め部２５０が形成されており、定位置部品３０ｒには、位置決め部２５０が嵌合する被位置決め部３３ｋが形成されており、中空樹脂部品２０の位置決め部２５０が定位置部品３０ｒの被位置決め部３３ｋと嵌合することで、内装樹脂部品１１に対する定位置部品３０ｒの位置決めが行われる。【選択図】図７
2018090204.tif 000002
【特許請求の範囲】
【請求項１】
意匠面を備える車両の内装樹脂部品と、前記内装樹脂部品を裏側から補強するブロー成形品である中空樹脂部品と、前記内装樹脂部品の裏側で前記内装樹脂部品と中空樹脂部品との重複部分に取付けられ、前記内装樹脂部品に対して定位置に位置決めされる定位置部品とを備える車両内装部品アッセンブリであって、
前記中空樹脂部品には、位置決め部が形成されており、
前記定位置部品には、前記位置決め部が嵌合する被位置決め部が形成されており、
前記中空樹脂部品の位置決め部が前記定位置部品の被位置決め部と嵌合することで、前記内装樹脂部品に対する前記定位置部品の位置決めが行われる車両内装部品アッセンブリ。
【請求項２】
請求項１に記載された車両内装部品アッセンブリであって、
前記中空樹脂部品は、ブロー成形型の型合わせ部の近傍位置で形成される縁部を備えており、
前記中空樹脂部品の位置決め部は、前記縁部から張り出す板状に形成されており、
前記定位置部品の被位置決め部は、前記中空樹脂部品の位置決め部が通される穴状に形成されている車両内装部品アッセンブリ。
【請求項３】
請求項２に記載された車両内装部品アッセンブリであって、
前記中空樹脂部品の位置決め部には、張り出し方向に延びる凸部、あるいは凹部が設けられている車両内装部品アッセンブリ。
【請求項４】
請求項３に記載された車両内装部品アッセンブリであって、
前記中空樹脂部品の位置決め部は、断面形状が波板状に形成されている車両内装部品アッセンブリ。
【請求項５】
請求項２から請求項３のいずれかに記載された車両内装部品アッセンブリであって、
前記中空樹脂部品の位置決め部は、先端側で幅寸法が小さく、さらに肉厚寸法が小さくなるように構成されている車両内装部品アッセンブリ。
【請求項６】
請求項１から請求項５のいずれかに記載された車両内装部品アッセンブリであって、
前記中空樹脂部品の位置決め部の隣には、前記定位置部品を前記中空樹脂部品に連結するための連結部品が設けられている車両内装部品アッセンブリ。
【発明の詳細な説明】
【技術分野】
【０００１】
本発明は、意匠面を備える車両の内装樹脂部品と、前記内装樹脂部品の裏側で前記内装樹脂部品に対して定位置に位置決めされる定位置部品とを備える車両内装部品アッセンブリに関する。
【背景技術】
【０００２】
車両の内装樹脂部品、例えば、インストルメントパネルに空気ダクト（定位置部品）を位置決めして取付ける技術が特許文献１に記載されている。インストルメントパネル、及び空気ダクトは樹脂の射出成形品であるため、細部の加工が容易である。このため、インストルメントパネル側の位置決めピンと空気ダクト側の嵌合穴とを嵌合させることで、インストルメントパネルに対する空気ダクトの位置決めを精度良く行なえるようになる。
【０００３】
また、射出成形品であるインストルメントパネルをブロー成形により製造された中空樹脂部品により裏側から補強した状態で、前記空気ダクトを取付けることが好適に行われている。ここで、ブロー成形品（中空樹脂部品）は射出成形品と比較して安価ではあるが、位置決めピン等の加工は難しい。このため、一般的にブロー成形品で他部品の位置決めを行なうことはない。したがって、中空樹脂部品を備えるインストルメントパネルに対して空気ダクトを位置決めする場合、一般的に中空樹脂部品においてインストルメントパネルの位置決めピンに相当する位置に切欠、あるいは開口等を形成する。そして、中空樹脂部品の切欠、あるいは開口等を通してインストルメントパネルの位置決めピンを空気ダクトの嵌合穴と嵌合させることが行われている。
【先行技術文献】
【特許文献】
【０００４】
【特許文献１】特開２００４−９０６９７号公報
【発明の概要】
【発明が解決しようとする課題】
【０００５】
しかし、インストルメントパネルを補強する中空樹脂部品に切欠等を形成する構成では、前記中空樹脂部品の強度が低下して、インストルメントパネルの補強を希望する程度にまで行えなくなる。
【０００６】
本発明は、上記問題点を解決するためになされたものであり、本発明が解決しようとする課題は、ブロー成形された中空樹脂部品により定位置部品の位置決めを行えるようにして、前記中空樹脂部品の強度低下を防止できるようにすることである。
【課題を解決するための手段】
【０００７】
上記した課題は、各請求項の発明によって解決される。請求項１の発明は、意匠面を備える車両の内装樹脂部品と、前記内装樹脂部品を裏側から補強するブロー成形品である中空樹脂部品と、前記内装樹脂部品の裏側で前記内装樹脂部品と中空樹脂部品との重複部分に取付けられ、前記内装樹脂部品に対して定位置に位置決めされる定位置部品とを備える車両内装部品アッセンブリであって、前記中空樹脂部品には、位置決め部が形成されており、前記定位置部品には、前記位置決め部が嵌合する被位置決め部が形成されており、前記中空樹脂部品の位置決め部が前記定位置部品の被位置決め部と嵌合することで、前記内装樹脂部品に対する前記定位置部品の位置決めが行われる。
【０００８】
本発明によると、ブロー成形品である中空樹脂部品には位置決め部が形成されており、前記位置決め部が定位置部品の被位置決め部と嵌合することで内装樹脂部品に対する前記定位置部品の位置決めが行われる。このため、内装樹脂部品に位置決め部を形成し、その位置決め部により定位置部品の位置決めを行なう必要がない。即ち、前記中空樹脂部品に内装樹脂部品に位置決め部を通す切欠、あるいは開口を形成する必要がなくなる。このため、中空樹脂部品の強度低下を防止できる。
【０００９】
請求項２の発明によると、中空樹脂部品は、ブロー成形型の型合わせ部の近傍位置で形成される縁部を備えており、前記中空樹脂部品の位置決め部は、前記縁部から張り出す板状に形成されており、前記定位置部品の被位置決め部は、前記中空樹脂部品の位置決め部が通される穴状に形成されている。このため、ブロー成形品である中空樹脂部品の位置決め部を比較的高精度で板状に成形できる。
【００１０】
請求項３の発明によると、中空樹脂部品の位置決め部には、張り出し方向に延びる凸部、あるいは凹部が設けられている。このため、位置決め部の強度を大きくできる。
【００１１】
請求項４の発明によると、中空樹脂部品の位置決め部は、断面形状が波板状に形成されている。
【００１２】
請求項５の発明によると、中空樹脂部品の位置決め部は、先端側で幅寸法が小さく、さらに肉厚寸法が小さくなるように構成されている。このため、中空樹脂部品の位置決め部を定位置部品の穴状の被位置決め部に嵌合し易くなる。
【００１３】
請求項６の発明によると、中空樹脂部品の位置決め部の隣には、定位置部品を前記中空樹脂部品に連結するための連結部品が設けられている。このため、定位置部品を中空樹脂部品に対して位置決めした状態で、定位置部品を中空樹脂部品に連結できるようになり、連結作業が容易になる。
【発明の効果】
【００１４】
本発明によると、ブロー成形された中空樹脂部品により定位置部品の位置決めを行えるようになり、前記中空樹脂部品の強度低下を防止できる。
【図面の簡単な説明】
【００１５】
【図１】本発明の実施形態１に係る車両内装部品アッセンブリ（インパネアッセンブり）をインストルメントパネルの裏側から見た全体斜視図である。
【図２】インストルメントパネルを中空樹脂部品で補強した状態を表す拡大斜視図である。
【図３】図２のIII矢視拡大図である。
【図４】図３を上方から見た斜視図である。
【図５】インパネ補強材（中空樹脂部品）の位置決め部を成形するブロー成形型の縦断面図である。
【図６】インパネ補強材（中空樹脂部品）の位置決め部の平面図（図５のVI-VI矢視図）である。
【図７】ダクト（定位置部品）をインパネ補強材に対して位置決めした状態を表す斜視図である。
【図８】図７のVIII矢視拡大図である。
【図９】ダクトをインパネ補強材に対して位置決めした状態を表す側面図である。
【図１０】インパネ補強材の位置決め部とダクトの被位置決め部（角穴部）との係合状態を表す正面図（図９のX矢視図）である。
【発明を実施するための形態】
【００１６】
［実施形態１］
以下、図１から図１０に基づいて本発明の実施形態１に係る車両内装部品アッセンブリについて説明する。本実施形態に係る車両内装部品アッセンブリは、車室の前部に取付けられるインパネアッセンブリ１０である。ここで、図中の前後左右、及び上下は前記インパネアッセンブリ１０が取付けられる車両（図示省略）の前後左右、及び上下に対応している。
【００１７】
＜インパネアッセンブリ１０の概要について＞
インパネアッセンブリ１０は、図１に示すように、インストルメントパネル１１と、インストルメントパネル１１を裏側から補強するインパネ補強材２０と、室内換気用の左右のダクト３０ｆ，３０ｒとを備えている。インストルメントパネル１１は、フロントガラス（図示省略）の下側で計器類等が取付けられる樹脂部品であり、射出成形により製造される。インストルメントパネル１１は、テーブル状の天井壁部１２と、縦壁部１３とにより断面形状が略逆Ｌ字形に形成されており、縦壁部１３の位置に計器類等の開口１４、及び室内換気用の開口１５等が複数形成されている。インストルメントパネル１１は、表面側（図１において裏側）が意匠面となっている。
【００１８】
＜インパネ補強材２０について＞
インパネ補強材２０は、図１、図２に示すように、インストルメントパネル１１の車幅方向中央部を内側から補強する樹脂部品であり、ブロー成形により中空の板状に製造されている。インパネ補強材２０は、インストルメントパネル１１の裏面を覆えるように、インストルメントパネル１１の裏面の形状に合わせて成形されている。インパネ補強材２０の後部下側には、左右両側位置と中央位置とに支持金具２２が取付けられている。そして、インパネ補強材２０の各々の支持金具２２がインストルメントパネル１１の固定金具１７にボルト止めされることで、図２に示すように、インパネ補強材２０はインストルメントパネル１１の内側に固定される。また、インパネ補強材２０の上端前部には、右端位置と中央位置とにダクト取付け部２５が設けられている。
【００１９】
インパネ補強材２０のダクト取付け部２５は、図２〜図４に示すように、位置決め部２５０と、その位置決め部２５０の右隣に固定された四角ナット２５ｎとから構成されている。四角ナット２５ｎは、右側のダクト３０ｆの取付けボルトがねじ込まれるナットであり、インパネ補強材２０がブロー成形された後に定位置に固定される。
【００２０】
インパネ補強材２０（ダクト取付け部２５）の位置決め部２５０は、インパネ補強材２０を介して右側のダクト３０ｒをインストルメントパネル１１に対して位置決めするための部位である。位置決め部２５０は、インパネ補強材２０をブロー成形型４１，４３（図５参照）によりブロー成形する際、前記ブロー成形型４１，４３の型合わせ部の近傍位置で形成される縁部から前方に張り出す板状に成形されている。即ち、位置決め部２５０には中空部は存在しない。
【００２１】
位置決め部２５０は、図３〜図５に示すように、幅方向（左右方向）の両側のベース板部２５２と、左右のベース板部２５２間に設けられた左右の傾斜板部２５４と、左右の傾斜板部をつなぐ天井板部２５５とにより断面台形の波板状に形成されている。そして、位置決め部２５０のベース板部２５２と傾斜板部２５４と天井板部２５５との肉厚寸法が等しい値に設定されている。また、図１０に示すように、位置決め部２５０のベース板部２５２の下端面から天井板部２５５の上端面までの高さ寸法がダクト３０ｒの取付けフランジ部３３（後記する）の角穴３３ｋの高さ寸法とほぼ等しい値に設定されている。さらに、位置決め部２５０は、図６に示すように、先端側で幅寸法が小さく、さらに肉厚寸法が小さくなるように構成されている。このように、前記インパネ補強材２０が本発明の中空樹脂部品に相当する。また、インパネ補強材２０の位置決め部２５０における断面台形の波板状の形状が本発明の位置決め部の張り出し方向に延びる突部、あるいは凹部に相当する。また、インパネ補強材２０の四角ナット２５ｎが本発明の連結部品に相当する。
【００２２】
＜左右のダクト３０ｆ，３０ｒについて＞
左右のダクト３０ｆ，３０ｒは、インストルメントパネル１１の内側に設置された送風ファン（図示省略）から送られてくる空気をインストルメントパネル１１の空気口（図示省略）まで導くダクトであり、樹脂のブロー成形品である。左側のダクト３０ｆは、インストルメントパネル１１に対して位置決めされた状態で、そのインストルメントパネル１１の裏面に直接的に取付けられる。これに対して、右側のダクト３０ｒは、中央より右側がインストルメントパネル１１の裏面に直接的に取付けられるのに対し、中央より左側がインパネ補強材２０のダクト取付け部２５に取付けられる。即ち、右側のダクト３０ｒの中央より左側は、インパネ補強材２０を介してインストルメントパネル１１に取付けられる。
【００２３】
右側のダクト３０ｒには、図１に示すように、左上部と中央寄り上部とに取付けフランジ部３３が設けられている。そして、それらの取付けフランジ部３３が、図７、図８に示すように、インパネ補強材２０のダクト取付け部２５に取付けられる。即ち、右側のダクト３０ｒの取付けフランジ部３３には、インパネ補強材２０（ダクト取付け部２５）の四角ナット２５ｎに対応する位置にボルト孔が形成されている。また、取付けフランジ部３３には、インパネ補強材２０の位置決め部２５０に対応する位置に、その位置決め部２５０が挿入される角穴３３ｋが形成されている。
【００２４】
前述のように、角穴３３ｋの高さ寸法は、インパネ補強材２０の位置決め部２５０におけるベース板部２５２の下端面から天井板部２５５の上端面までの高さ寸法とほぼ等しい値に設定されている。また、角穴３３ｋの幅寸法は、位置決め部２５０の幅寸法よりも大きな値に設定されている。このため、インパネ補強材２０の位置決め部２５０が右側のダクト３０ｒの取付けフランジ部３３の角穴３３ｋに挿入された状態で、右側のダクト３０ｒはインパネ補強材２０を介してインストルメントパネル１１に対して高さ方向に位置決めされる。このように、右側のダクト３０ｒが本発明の定位置部品に相当し、前記取付けフランジ部３３の角穴３３ｋが本発明の被位置決め部に相当する。
【００２５】
＜インパネアッセンブリ１０の組み付けについて＞
インパネアッセンブリ１０を組み付ける際には、先ず、インストルメントパネル１１の裏面の所定位置にインパネ補強材２０をセットする。そして、インパネ補強材２０の複数の支持金具２２をインストルメントパネル１１の固定金具１７にボルト止めして、図２等に示すように、インパネ補強材２０をインストルメントパネル１１に固定する。次に、右側のダクト３０ｒの取付けフランジ部３３の角穴３３ｋに対し、図７〜図９に示すように、インパネ補強材２０の位置決め部２５０を挿入する。これにより、右側のダクト３０ｒは、インパネ補強材２０、及びインストルメントパネル１１に対して位置決めされる。ここで、インパネ補強材２０の位置決め部２５０は、先端側で幅寸法が小さく、さらに肉厚寸法が小さくなるように構成されている。このため、インパネ補強材２０の位置決め部２５０をダクト３０ｒの取付けフランジ部３３の角穴３３ｋに挿入し易くなる。
【００２６】
このようにして、右側のダクト３０ｒが位置決めされた状態で、そのダクト３０ｒ（取付けフランジ部３３）のボルト孔３３ｂとインパネ補強材２０の四角ナット２５ｎを利用して前記ダクト３０ｒがインパネ補強材２０にボルト止めされる。さらに、右側のダクト３０ｒの他の部分がインストルメントパネル１１に対して固定される。また、左側のダクト３０ｆがインストルメントパネル１１に対して固定され、インパネアッセンブリ１０の組み付けが終了する。
【００２７】
＜本実施形態に係るインパネアッセンブリ１０の長所について＞
本実施形態に係るインパネアッセンブリ１０では、ブロー成形品であるインパネ補強材２０（中空樹脂部品）に位置決め部２５０が形成されている。そして、前記位置決め部２５０がダクト３０ｒ（定位置部品）の角穴３３ｋ（被位置決め部）と嵌合することでインストルメントパネル１１（内装樹脂部品）に対するダクト３０ｒ（定位置部品）の位置決めが行われる。このため、インストルメントパネル１１に位置決め部を形成し、その位置決め部によりダクト３０ｒの位置決めを行なう必要がない。即ち、インパネ補強材２０（中空樹脂部品）にインストルメントパネル１１に位置決め部を通す切欠、あるいは開口を形成する必要がなくなる。このため、インパネ補強材２０（中空樹脂部品）の強度低下を防止できる。
【００２８】
また、インパネ補強材２０（中空樹脂部品）の位置決め部２５０は、インパネ補強材２０をブロー成形型４１，４３（図５参照）を利用してブロー成形する際、前記ブロー成形型４１，４３の型合わせ部の近傍位置で形成される縁部から前方に張り出す板状に成形されている。このため、ブロー成形品であるインパネ補強材２０の位置決め部２５０を比較的高精度で板状に成形できる。また、位置決め部２５０は断面形状が波板状に形成されているため、強度を大きくできる。さらに、位置決め部２５０は、先端側で幅寸法が小さく、さらに肉厚寸法が小さくなるように構成されているため、位置決め部２５０をダクト３０ｒの角穴３３ｋに嵌合し易くなる。また、インパネ補強材２０の位置決め部２５０の隣に四角ナット２５ｎ（連結部品）が設けられているため、ダクト３０ｒをインパネ補強材２０に対して位置決めした状態で、ダクト３０ｒをインパネ補強材２０に固定できるようになる。このため、ダクト３０ｒをインパネ補強材２０に固定する作業が容易になる。
【００２９】
＜変更例＞
ここで、本発明は上記実施形態に限定されるものではなく、本発明の要旨を逸脱しない範囲における変更が可能である。例えば、本実施形態に係るインパネアッセンブリ１０では、インパネ補強材２０（中空樹脂部品）の位置決め部２５０を断面台形の波板状に形成する例を示した。しかし、例えば、インパネ補強材２０（中空樹脂部品）の位置決め部２５０を断面略Ｗ字形の波板状に形成することも可能である。また、本実施形態では、インパネ補強材２０（中空樹脂部品）の位置決め部２５０をブロー成形型４１，４３の型合わせ部の近傍位置で形成される縁部から張り出す板状に成形する例を示した。しかし、インパネ補強材２０の中空部分の壁部を凹凸形状に成形し、この凹凸形状を位置決め部として、前記位置決め部と嵌合可能な凹凸形状をダクト３０ｒに形成する構成でも可能である。また、本実施形態では、インパネアッセンブリ１０を例示したが、例えば、車両のコンソールボックス等のアッセンブリに本発明を適用することも可能である。
【符号の説明】
【００３０】
１０・・・・インパネアッセンブリ（車両内装樹脂部品アッセンブリ）
１１・・・・インストルメントパネル（内装樹脂部品）
２０・・・・インパネ補強材（中空樹脂部品）
２５ｎ・・・四角ナット（連結部品）
２５０・・・位置決め部
３０ｒ・・・右側のダクト（定位置部品）
３３ｋ・・・角穴（被位置決め部）
４１，４３・・ブロー成形型
【図１】
2018090204.tif 000003
【図２】
2018090204.tif 000004
【図３】
2018090204.tif 000005
【図４】
2018090204.tif 000006
【図５】
2018090204.tif 000007
【図６】
2018090204.tif 000008
【図７】
2018090204.tif 000009
【図８】
2018090204.tif 000010
【図９】
2018090204.tif 000011
【図１０】
2018090204.tif 000012